(57)【要約】【課題】機能の拡張に対応可能であっても、必要充分な操作案内の表示によって、より容易な操作で使用することができる印刷装置を提供する。【解決手段】印刷装置（プリンター１００）は、機能を選択可能な機能選択部を所定位置に表示させる制御部を備え、所定位置は、機能毎に予め設定されており、制御部は、機能拡張装置（例えばスキャナーユニット２００）の拡張に基づき、拡張機能の機能選択部を所定位置に対して、選択可能に表示する。【選択図】図２
2016005894.tif 000002
【特許請求の範囲】
【請求項１】
機能を選択可能な機能選択部を所定位置に表示させる制御部、を備え、
前記所定位置は、機能毎に予め設定されており、前記制御部は、機能拡張装置の拡張に基づき、拡張機能の前記機能選択部を前記所定位置に対して、選択可能に表示することを特徴とする印刷装置。
【請求項２】
前記機能選択部を表示可能な表示部を備え、前記所定位置は、前記表示部に表示される位置であることを特徴とする請求項１に記載の印刷装置。
【請求項３】
前記機能選択部を表示可能な表示端末を接続可能な接続部を備え、前記所定位置は、前記表示端末に表示される位置であることを特徴とする請求項１に記載の印刷装置。
【請求項４】
前記制御部は、前記機能拡張装置の拡張に基づき、前記拡張機能の前記機能選択部を、追加して表示することを特徴とする請求項１ないし３のいずれか一項に記載の印刷装置。
【請求項５】
前記制御部は、前記機能拡張装置の拡張に基づき、前記拡張機能の前記機能選択部を、選択できない状態の表示から選択可能にすることを特徴とする請求項1ないし３のいずれか一項に記載の印刷装置。
【請求項６】
前記制御部は、前記機能拡張装置が有する固有の識別情報を識別する識別部を備え、前記識別部が識別する前記識別情報に基づいて、前記拡張機能の前記機能選択部を表示することを特徴とする請求項１ないし５のいずれか１項に記載の印刷装置。
【請求項７】
前記機能拡張装置は、少なくとも、画像取得装置、記憶装置、画像伝送装置のうちのにずれかであることを特徴とする請求項１ないし６のいずれか一項に記載の印刷装置。
【発明の詳細な説明】
【技術分野】
【０００１】
本発明は、印刷装置に関する。
【背景技術】
【０００２】
印刷装置としてのインクジェットプリンターには、印刷機能に特化した単機能機や複数の画像処理機能を備えた複合機がある。例えば、特許文献１には、印刷機能（プリンター）に加えて画像読み取り機能（スキャナー）を備え、またオプションとして画像電送機能（ファクシミリ）を付属させることができる構成の複合機が記載されている。この複合機は、通信手段やファイル転送手段、ファイル記憶手段を備えることにより、複合機に接続するコンピューターを起動することなく情報の転送やコピーなどの作業が行えるとしている。
【先行技術文献】
【特許文献】
【０００３】
【特許文献１】特開２００７−２２８０３５号公報
【発明の概要】
【発明が解決しようとする課題】
【０００４】
しかしながら、特許文献１に記載の印刷装置（複合機）のように、付属させる様々な機能が増加するに伴い、それぞれの機能に対応させるための操作や、対応した機能を選択して実行するための操作、その操作画面の表示などが複雑になってしまうという課題があった。例えば、接続するオプション機器の選択や登録の操作が必要となったり、操作パネルに表示されるアイコンの数が増えて分かりにくくなってしまったり、また、例えば、選択した機能が備えられていない場合のエラー表示やその処理が必要になってしまったりするという課題があった。
【課題を解決するための手段】
【０００５】
本発明は、上述の課題の少なくとも一部を解決するためになされたものであり、以下の適用例または形態として実現することが可能である。
【０００６】
［適用例１］  本適用例に係る印刷装置は、機能を選択可能な機能選択部を所定位置に表示させる制御部を備え、前記所定位置は機能毎に予め設定されており、前記制御部は、機能拡張装置の拡張に基づき、拡張機能の前記機能選択部を前記所定位置に対して、選択可能に表示することを特徴とする。
【０００７】
本適用例によれば、機能を選択可能な機能選択部を所定位置に表示させる制御部を備え、所定位置は機能毎に予め設定されており、制御部は、機能拡張装置の拡張に基づき、拡張機能の機能選択部を所定位置に対して、選択可能に表示できる。従って、印刷装置の各機能が使用可能か否か所定位置の機能選択部で確認可能であり、機能拡張装置が拡張され選択可能か容易に知ることができる。その結果、表示部には、選択する機能の位置が分かり易く、使用可能な機能に対して必要充分な表示がされるため、より容易な操作で使用することができる。
【０００８】
［適用例２］  前記機能選択部を表示可能な表示部を備え、前記所定位置は、前記表示部に表示される位置であることを特徴とする。
【０００９】
本適用例によれば、印刷装置は、機能選択部を表示可能な表示部を備えており、所定の位置に機能選択部を表示する。これにより、選択可能な機能が分かり易く、より容易な操作で使用することができる。
【００１０】
［適用例３］  本適用例に係る印刷装置は、前記機能選択部を表示可能な表示端末を接続可能な接続部を備え、前記所定位置は、前記表示端末に表示される位置であることを特徴とする。
【００１１】
本適用例によれば、印刷装置は、機能選択部を表示可能な表示端末を接続可能な接続部を備え、印刷装置の接続部へ接続可能な表示端末に機能選択部を表示可能になる。その結果、選択可能な機能を表示端末上で確認し易く、使用可能な機能に対して必要充分な表示がされるため、より容易な操作で使用することができる。
【００１２】
［適用例４］  上記適用例に係る印刷装置において、前記制御部は前記機能拡張装置の拡張に基づき、前記拡張機能の前記機能選択部を、追加して表示することを特徴とする。
【００１３】
本適用例によれば、機能拡張装置が拡張されると、機能選択部を追加して表示することができるため、選択可能な機能がより分かり易くなる。
【００１４】
［適用例５］  上記適用例に係る印刷装置において、制御部は、前記機能拡張装置の拡張に基づき、前記拡張機能の前記機能選択部を、選択できない状態の表示から選択可能にすることを特徴とする。
【００１５】
本適用例によれば、制御部は機能拡張装置の拡張に基づき、機能拡張機能の機能選択部を、選択できない状態の表示から選択可能とすることができる。これにより、拡張機能を含めて、印刷装置が保有可能な機能を知ることができ、機能が選択可能か確認可能である。
【００１６】
［適用例６］  上記適用例に係る印刷装置において、前記制御部は前記機能拡張装置が有する固有の識別情報を識別する識別部を備え、前記識別部が識別する前記識別情報に基づいて、前記拡張機能の前記機能選択部を表示することを特徴とする。
【００１７】
本適用例によれば、制御部は機能拡張装置が有する固有の識別情報を識別する識別部を備え、識別部が識別する前記識別情報に基づいて、拡張機能の機能選択部を表示することを特徴とする。これにより、例えば、印刷装置に接続可能な機能拡張装置が複数種類ある場合や、同じ種類の機能拡張装置であっても複数台ある場合などにおいて、印刷装置は、接続された機能拡張装置を識別することができる。その結果、表示端末には、対象の機能に対し、より適切に設定された表示がされるため、より容易な操作で使用することができる。
【００１８】
［適用例７］  上記適用例に係る印刷装置において、前記機能拡張装置は、少なくとも、画像取得装置、記憶装置、画像伝送装置のうちのにずれかであることを特徴とする。
【００１９】
本適用例によれば、機能拡張装置には、少なくとも、画像取得装置、記憶装置、画像電送装置のうちのいずれかの装置が含まれる。それぞれの機能拡張装置は、それぞれの装置に固有の機能を有しているため、それぞれの機能を活用するための操作が異なる。本適用例によれば、表示部、あるいは表示端末等に、使用可能に拡張されている機能に対して必要充分な表示がされるため、無駄な表示に対応する必要が無く、より容易な操作で使用することができる。
【図面の簡単な説明】
【００２０】
【図１】実施形態１に係る印刷装置としてのプリンターの斜視図。
【図２】実施形態１に係る印刷装置としてのプリンターのブロック図。
【図３】機能拡張装置の一例の画像取得装置（スキャナーユニット）の斜視図。
【図４】コントロールセンターの構成を階層別に示した概念図。
【図５】（ａ），（ｂ）タブレット端末に表示される起動画面の概念図。
【図６】（ａ），（ｂ）タブレット端末に表示される起動画面の概念図。
【図７】コントロールセンターが起動した初期画面の概念図。
【図８】（ａ），（ｂ）ＨＤＤユニットが装着されていない場合のアイコン領域の概念図。
【図９】コピー画面の概念図。
【図１０】スキャン画面の概念図。
【図１１】ファイル操作画面の概念図。
【図１２】操作履歴表示画面の概念図。
【図１３】変形例１に係る印刷装置としてのプリンターのブロック図。
【図１４】変形例１に係るコントロールセンターが起動した初期画面の概念図。
【発明を実施するための形態】
【００２１】
以下に本発明を具体化した実施形態について、図面を参照して説明する。以下は、本発明の一実施形態であって、本発明を限定するものではない。なお、以下の各図においては、説明を分かりやすくするため、実際とは異なる尺度で記載している場合がある。また、図面に付記する座標においては、Ｚ軸方向が上下方向、＋Ｚ方向が上方向、Ｙ軸方向が前後方向、＋Ｙ方向が手前方向、Ｘ軸方向が左右方向、＋Ｘ方向が左方向、Ｘ―Ｙ平面が水平面としている。
【００２２】
（実施形態１）
＜印刷装置＞
図１は、実施形態１に係る「印刷装置」としてのプリンター１００の斜視図、図２はブロック図である。
プリンター１００は、例えば、ＪＩＳ規格のＡ０判やＢ０判などといった比較的大きなサイズの印刷媒体に印刷可能な大型のインクジェット式プリンターである。印刷媒体は、ロール状に巻かれた状態で供給される（以下、印刷媒体をロール紙１という）。
プリンター１００は、印刷部１０、ロール紙除給部２０、ロール紙格納部３０、記憶部４０、制御部５０、「表示部」としての操作パネル６０、外部機器との「接続部」としての入出力インターフェイス７０、識別部８０などから構成されている。
【００２３】
また、プリンター１００は、機能拡張装置（オプション装置）を付加することで、複合機として構成することができる。機能拡張装置としては、画像取得装置（例えばスキャナーユニット２００）、記憶装置（例えばＨＤＤ（ハードディスクドライブ）ユニット２１０）などであり、これらを個別に、あるいは同時に付加して複合機能を構成することが可能である。
また、プリンター１００は、操作パネル６０に加え、ヒューマンインターフェイスとしての「表示端末」を、入出力インターフェース７０によって接続されるネットワーク９を介して接続することができる。表示端末としては、好適例としてタブレット端末９０を用いるが、これに限定するものではなく、Ｗｅｂブラウザーが表示される表示端末であれば、例えば、携帯通信端末やパーソナルコンピューターなどであっても良い。
ネットワーク９としては、好適例として無線ＬＡＮを用いるが、有線によるＬＡＮや専用回線などを用いることもできる。
【００２４】
印刷部１０は、ロール紙１の表面にインクを吐出して画像を印刷するインクジェットヘッド、インクジェットヘッドを支持し、ロール紙１の表面上を走査移動させるキャリッジなどを備えている（図示省略）。
ロール紙除給部２０は、ロール紙格納部３０に格納された印刷前のロール紙１を印刷部１０の走査移動領域に供給し排出する（またあるいは、印刷部１０の走査移動領域からロール紙格納部３０側に戻す）複数の搬送ローラー（図示省略）を備えている。
ロール紙格納部３０は、装置本体の後側の上部に設けられた第１格納部３１と、装置本体の下側に配置された第２格納部３２とを備える。第１格納部３１および第２格納部３２には、それぞれ印刷前のロール紙１を格納することができる。また、それぞれの格納部には仕様（材質やサイズなど）の異なるロール紙１を格納することもできる。
【００２５】
第１格納部３１、第２格納部３２は、それぞれ、ロール紙１をその軸方向両側から保持する一対のホルダーおよびホルダーに回転動力を伝達するモーター（図示省略）を備え、このモーターの駆動によりホルダーに保持されたロール紙１が回転することで、ロール紙１が送り出されたり、また必要に応じ巻き戻しされたりする。
記憶部４０は、ハードディスクドライブやメモリーカードなどの書き換え可能な記憶媒体である。記憶部４０には、制御部５０が動作するソフトウェア（プログラム）などが記憶される。
制御部５０は、ＣＰＵ（演算部）や、ＲＡＭ、ＲＯＭなどの記憶部を備え（図示省略）、制御部５０が動作するソフトウェアに基づいてプリンター１００全体の集中制御を行う。
操作パネル６０は、表示ディスプレーと入力手段とを備えており、制御部５０に対する指示や選択などを行うことができる。
【００２６】
識別部８０は、制御部５０の機能として構成され、機能拡張装置の接続有無の認識、および接続されている機能拡張装置に固有の識別情報の認識をすることができる。具体的には、例えば、機能拡張装置がＵＳＢデバイスの場合、機能拡張装置のそれぞれが固有の識別情報としてベンダーＩＤ、プロダクトＩＤ、シリアル番号などのキー情報を有している。識別部８０は、入出力インターフェイス７０に接続された機能拡張装置から、これらの情報を読み取り、接続された機能拡張装置の種類や型番、付番などを識別することができる。
【００２７】
＜機能拡張装置＞
図３は、機能拡張装置の一例の画像取得装置としてのスキャナーユニット２００の斜視図である。
スキャナーユニット２００は、Ａ０判やＢ０判などといった比較的大きなサイズまでの原稿（図３において原稿２）を読み取ることができるシートフィード型（読み取りヘッド固定型）のイメージスキャナーである。スキャナーユニット２００は、原稿２を除給する原稿搬送機構、光源やイメージセンサーなどから成る原稿読み取り機構（図示省略）などを備え、可搬型スタンド４に載置される。可搬型スタンド４は、プリンター１００の後方（−Ｙ方向）に設置することができ、スキャナーユニット２００がプリンター１００の上方に位置するようにスキャナーユニット２００本体の下面を支持する。また、スキャナーユニット２００は、ＵＳＢデバイスとして、プリンター１００と接続するためのＵＳＢインターフェイスを備えている。
なお、スキャナーユニット２００の詳細な構成の説明は省略する。
【００２８】
プリンター１００にスキャナーユニット２００を装着した場合、プリンター１００は、スキャナーユニット２００が取り込んだ画像を印刷するコピー機能を持つことができる。
また、スキャナーユニット２００に加え、更に、機能拡張装置として、充分な記憶容量（スキャナーユニット２００が取り込んだ画像ファイル（以下、画像ファイルを単にファイルとも言う）が保存できる容量）を有する記憶装置（例えば、ＵＳＢデバイスとしてのＨＤＤユニット２１０）を装着した場合には、以下の機能を持つことができる。
スキャナーユニット２００が取り込んだ画像をＪＰＥＧファイルやＰＤＦファイルなどのファイルとして保存することができる。
電子メールに添付して、別のプリンター１００などに送信することができる。
ネットワーク９を通じてネットワーク９上の共有フォルダーに保存することができる。
ファイルをダウンロードしたり、メール受信したりすることができる。
【００２９】
＜コントロールセンター＞
プリンター１００は、これらを機能させる制御ソフトウェアとしてコントロールセンターを備えている。コントロールセンターは、制御部５０において動作するプログラムの１つであり、プリンター１００およびスキャナーユニット２００が有するハードウェア、ソフトウェア、ファームウェアを制御し機能させる。
また、コントロールセンターは、スキャナーユニット２００やＨＤＤユニット２１０が接続された状態に基づいて、それら機能拡張装置に係る操作情報を操作パネル６０やタブレット端末９０に表示させ様々な操作を可能とする。
【００３０】
図４は、コントロールセンターの構成を階層別に示した概念図である。
コントロールセンターは、コピー、スキャン、ファイル操作、操作履歴表示、設定登録、ヘルプ情報の表示などの機能を有する。
このように、プリンター１００に機能拡張装置としてスキャナーユニット２００を装着することにより、様々な機能が付加される。様々な機能が増加するに伴い、それぞれの機能に対応させるための操作や、対応した機能を選択して実行するための操作、その操作画面の表示などが複雑になってしまう。本実施形態では、このような操作がより簡便に行われるように構成している。
以下、プリンター１００に「機能拡張装置（画像取得装置）」としてのスキャナーユニット２００および「機能拡張装置（記憶装置）」としてのＨＤＤユニット２１０が装着される場合のプリンター１００の起動方法やコントロールセンターの機能について、タブレット端末９０に表示される画面を参照しながら説明する。
【００３１】
＜コントロールセンターの起動＞
コントロールセンターは、プリンター１００にスキャナーユニット２００が装着されている場合に、ネットワーク９を介してタブレット端末９０からプリンター１００にアクセスして起動することができる。具体的には、まず、タブレット端末９０でＷｅｂブラウザーを起動する。次に、プリンター１００に設定されているＩＰアドレスをＷｅｂブラウザーのアドレスバーに入力し[Enter]または[return]キーを押す。
【００３２】
図５（ａ）は、プリンター１００にスキャナーユニット２００が装着されていない場合に、タブレット端末９０に表示される起動画面の概念図である。スキャナーユニット２００が装着されていないため、コントロールセンター以外の利用できる機能のみ（図５（ａ）には機能１、機能２と例示している）が起動できるボタン（あるいはアイコン）が表示されている。
【００３３】
これに対して、プリンター１００にスキャナーユニット２００が装着された場合、あるいは、プリンター１００にスキャナーユニット２００が装着された状態でタブレット端末９０からアクセスした場合には、図５（ｂ）に示すように、コントロールセンターが起動できるボタン（あるいはアイコン）も合わせて表示される。
これは、スキャナーユニット２００がプリンター１００に装着された場合に、識別部８０がこれを感知し、これを受けた制御部５０が、利用できる機能としてコントロールセンターの起動ボタン（あるいはアイコン）（機能選択部）を表示させるためである。
本実施形態において、機能１や機能２、コントロールセンターなどの起動ボタン（あるいはアイコン）が「機能選択部」にあたる。「機能選択部」は、機能毎に予め設定されている所定位置に表示され、機能毎の所定位置を確認すると、それぞれの所定位置に設定されている機能が利用できるかどうかがわかり、選択可能か容易に知ることができる。また、スキャナーユニット２００が装着された場合のコントロールセンターなどのようにプリンター１００に構成が追加された時に選択できるようになる機能が「拡張機能」である。
【００３４】
なお、図５（ａ）では、利用できる機能が起動できるボタン（あるいはアイコン）のみが表示されると説明したが、これに限定するものではなく、タブレット端末９０を操作するユーザーが、機能の利用可否を簡便に識別できる表示であれば良い。例えば、利用できない機能はグレーアウト表示させる方法であっても良い。図６（ａ）に示す例では、コントロールセンター起動ボタン（あるいはアイコン）が選択できない状態の表示であるグレーアウトしている様子を示している。グレーアウトとは、薄いグレーで選択できないことを表現する方法である（図６（ａ）ではこれを破線で表現している）。図６（ｂ）は、図５（ｂ）と同様にコントロールセンターが選択できない状態の表示から選択可能となり起動できるようになった状態の画面を示している。
【００３５】
図５（ｂ）あるいは図６（ｂ）の画面でコントロールセンターを選択することで、コントロールセンターが起動する。
なお、プリンター１００にスキャナーユニット２００が装着された状態でタブレット端末９０からアクセスした場合において、コントロールセンター以外に起動する必要が有る機能が無い場合には、図５（ａ），（ｂ）や図６（ａ），（ｂ）の画面を表示させずに、直接コントロールセンターが起動される。
【００３６】
説明の中で、操作パネル６０やタブレット端末９０の画面でアイコンやボタンに対して“選択する”とは、マウスなどのポインティングデバイスやユーザーの指先などにより対象とするアイコンやボタンの位置でクリックやタップの動作により選択を有効にすることを言う。
【００３７】
＜初期画面＞
図７は、コントロールセンターが起動した初期画面の概念図である。
初期画面は、アイコン領域とメイン領域とに分割して表示される。なお、これらの領域以外に、バナー領域（他のＷｅｂサイトにリンクする情報が表示される領域）や、フッター領域（メイン領域の下に固定表示される領域）が表示されても良い。
【００３８】
アイコン領域には、コントロールセンターが有する機能（拡張機能）を選択できるアイコンが表示される。具体的には、上述した、コピー、スキャン、ファイル操作、操作履歴表示、設定登録、ヘルプ情報の表示のそれぞれの機能に対応するアイコンが表示される。図７では、それぞれのアイコンを、コピー「Ｃ」、スキャン「Ｓ」、ファイル操作「Ｆ」、操作履歴表示「Ｈ」、設定登録「Ｍ」、ヘルプ情報の表示「？」で示しているが、アイコンは、ユーザーが直感的に機能を識別できる絵などで構成されることが望ましい。
【００３９】
なお、上述したように、スキャナーユニット２００が装着されている場合であっても、ＨＤＤユニット２１０が装着されていない場合には、その機能が制限される。具体的には、ＨＤＤユニット２１０が装着されていない場合には、スキャンしたデータの保存が行われないため、主な機能はコピー機能のみとなり、スキャン「Ｓ」、ファイル操作「Ｆ」、操作履歴表示「Ｈ」などは、利用できない機能になる。
【００４０】
図８（ａ），（ｂ）は、ＨＤＤユニット２１０が装着されていない場合のアイコン領域に示されるアイコンの概念図である。
図８（ａ）は、利用できないアイコン（スキャン「Ｓ」、ファイル操作「Ｆ」、操作履歴表示「Ｈ」）が表示されていない様子を示している。
図８（ｂ）は、利用できないアイコン（スキャン「Ｓ」、ファイル操作「Ｆ」、操作履歴表示「Ｈ」）がグレーアウト表示されている様子を示している。
これは、識別部８０が、ＨＤＤユニット２１０がプリンター１００に装着されたこと（あるいは装着されていること）を感知していないため、制御部５０が利用できる機能として表示させないためである。
【００４１】
＜コピー画面＞
図９は、アイコン領域のコピーアイコン「Ｃ」を選択した場合に表示される画面（以下コピー画面と言う）の概念図である。コントロールセンターが起動した初期画面（図７）は、この画面と同じ画面であっても良い。
コピー画面は、コピーを実行するためのパラメーターが指定できる。コピー画面が開かれるときは、識別部８０がスキャナーユニット２００の接続状態を確認し、スキャナーユニット２００が接続されているときに限りコピー画面を表示する。
なお、各図において、下方向の太い矢印は、アイコンを選択したことを説明している矢印であり、画面には表示されない。
【００４２】
コピー画面のメイン領域には、コピー機能を利用する場合に設定が必要なパラメーターのみが表示される。コピー画面では、ロール紙１の選択（ロール選択）、原稿タイプの選択（原稿タイプ）、印刷品質の選択（コピー品質）、カラーかモノクロかの選択（カラー／モノクロ）、倍率の設定（倍率および倍率設定）、原稿サイズの設定（原稿幅設定）、濃度の設定（濃度）、コントラストの設定（コントラスト）、背景除去の設定（背景除去）、シャープネスの設定（シャープネス）、コピー部数の指定などができる。また、設定内容のリセットや、セットした原稿２の排出、コピーの開始などを実行するボタンがある。
【００４３】
＜スキャン画面＞
図１０は、アイコン領域のスキャンアイコン「Ｓ」を選択した場合に表示される画面（以下スキャン画面と言う）の概念図である。
スキャン画面のメイン領域には、スキャン機能を利用する場合に設定が必要なパラメーターのみが表示される。
スキャン画面では、原稿２の種類の選択（原稿タイプ）、カラーかモノクロかの選択（カラー／モノクロ）、スキャン時の解像度の選択（解像度）、保存ファイルのフォーマットの選択（保存形式）、圧縮率の選択（圧縮率）、原稿サイズの設定（原稿幅設定）、スキャンデータの保存先の選択（スキャン後の保存先）、濃度の設定（濃度）、コントラストの設定（コントラスト）、背景除去の設定（背景除去）、シャープネスの設定（シャープネス）などができる。また、設定内容のリセットや、セットした原稿２の排出、スキャンの開始などを実行するボタンがある。
【００４４】
＜ファイル操作画面＞
図１１は、アイコン領域のファイル操作「Ｆ」を選択した場合に表示される画面（以下ファイル操作画面と言う）の概念図である。
ファイル操作画面のメイン領域には、スキャンしたファイル、メール受信したファイルの一覧が表示される。
ファイルの一覧として表示される項目は、ファイルの種別のアイコン（種別）、ファイル名、原稿タイプ、メール受信した場合の差出人メールアドレスやメール送信した場合の宛先メールアドレス、共有フォルダーに保存した場合の宛先フォルダー名（送り先／送り元）、作成日時などである。
また、ファイルの一覧は、複数のページに亘る場合があるため、ページ送り、ページ戻しのボタンや、表示中のページを表示する部分がある。
また、ファイル操作画面には、メール受信、削除、詳細情報、メール送信、ダウンロード、フォルダーに転送、印刷などを実行するボタンがある。
【００４５】
ファイルの種別のアイコン（Ａ１〜Ａ９）には以下のようなものがある。
Ａ１：スキャン後にＨＤＤユニット２１０に保存したファイル
Ａ２：スキャン後にＨＤＤユニット２１０に保存した印刷可能なファイル
Ａ３：スキャン後にメール送信した保存ファイル
Ａ４：スキャン後にメール送信した印刷可能な保存ファイル
Ａ５：スキャン後に共有フォルダーに保存したファイル
Ａ６：スキャン後に共有フォルダーに保存した印刷可能なファイル
Ａ７：メール受信したファイル
Ａ８：メール受信した印刷可能なファイル
Ａ９：メール受信した印刷可能なファイルで印刷されていないファイル
なお、それぞれのアイコンＡ１〜Ａ９は、ユーザーが直感的に種別を判断できる絵などで構成されることが望ましい。
【００４６】
＜操作履歴表示画面＞
図１２は、アイコン領域の操作履歴表示「Ｈ」を選択した場合に表示される画面（以下操作履歴表示画面と言う）の概念図である。
操作履歴表示画面のメイン領域には、ファイルの操作履歴の一覧が表示される。
ファイルの操作履歴の一覧として表示される項目は、ファイルの状態のアイコン（状態）、ファイル名、原稿タイプ、メール送信した場合の宛先メールアドレスや共有フォルダーに保存した場合の宛先フォルダー名、ダウンロードしたパーソナルコンピューターのＩＰアドレス（送り先）、操作日時などである。
また、ファイルの一覧は、複数のページに亘る場合があるため、ページ送り、ページ戻しのボタンや、表示中のページを表示する部分がある。
また、操作履歴表示画面には、詳細表示をさせるボタンがある。
【００４７】
ファイルの状態のアイコン（Ｂ１〜Ｂ７）には以下のようなものがある。
Ｂ１：印刷したファイル
Ｂ２：印刷をキャンセルしたファイル
Ｂ３：メール送信したファイル
Ｂ４：メール送信をキャンセルしたファイル
Ｂ５：共有フォルダーに転送したファイル
Ｂ６：共有フォルダーへの転送をキャンセルしたファイル
Ｂ７：ダウンロードしたファイル
なお、それぞれのアイコンＢ１〜Ｂ７は、ユーザーが直感的に状態を判断できる絵などで構成されることが望ましい。
【００４８】
設定登録画面およびヘルプ情報の表示画面についての説明は省略する。
【００４９】
以上述べたように、本実施形態による印刷装置（プリンター１００）によれば、以下の効果を得ることができる。
プリンター１００を操作するための操作画面が表示されるタブレット端末９０には、プリンター１００に機能拡張装置（スキャナーユニット２００、ＨＤＤユニット２１０）が接続された状態に基づいて機能拡張装置に係る操作情報が予め設定されている所定位置に表示される。従って、プリンター１００が備える機能に充分な操作情報のみを表示させることができる。その結果、プリンター１００がより多くの機能拡張に対応できる状態であっても、タブレット端末９０には、使用に際して使用可能な機能に対して必要充分な表示がされるため、より容易な操作で使用することができる。
【００５０】
また、プリンター１００は、機能拡張装置に固有の識別情報を識別する識別部８０を備えている。また、タブレット端末９０には、識別部８０が識別した識別情報に基づいて、機能拡張装置に係る操作情報を表示する。従って、例えば、プリンター１００に接続可能な機能拡張装置が複数種類ある場合や、同じ種類の機能拡張装置であっても複数台ある場合などにおいて、プリンター１００は、接続された機能拡張装置を識別することができる。その結果、タブレット端末９０には、対象の機能に対し、より適切に設定された表示がされるため、より容易な操作で使用することができる。
【００５１】
また、機能拡張装置には、スキャナーユニット２００およびＨＤＤユニット２１０が含まれる。それぞれの機能拡張装置は、それぞれの装置に固有の機能を有しているため、それぞれの機能を活用するための操作が異なる。本実施形態によれば、タブレット端末９０には、使用に際して使用可能に拡張されている機能に対して必要充分な表示がされるため、無駄な表示に対応する必要が無く、より容易な操作で使用することができる。
【００５２】
なお、上記の説明は、タブレット端末９０に表示される画面を基に説明したが、操作パネル６０においても同様の操作を行うことができる。操作パネル６０は、ネットワーク９を介さずに制御部５０に接続されているため、プリンター１００の電源を投入した段階で、タブレット端末９０がＷｅｂブラウザーを利用してアクセスした画面と同じ画面（図５（ａ），（ｂ）あるいは図６（ａ），（ｂ）で説明した画面）が表示される。他の操作画面は、タブレット端末９０の場合と同じである。
【００５３】
なお、本発明は、上述した実施形態に限定されず、上述した実施形態に種々の変更や改良などを加えることが可能である。変形例を以下に述べる。ここで、上述した実施形態と同一の構成部位については、同一の符号を使用し、重複する説明は省略している。
【００５４】
（変形例１）
図１３は、変形例１に係る「印刷装置」としてのプリンター１０１のブロック図である。
実施形態１では、図２に示すように、機能拡張装置として、スキャナーユニット２００、およびＨＤＤユニット２１０を装着した例で説明したが、機能拡張装置はこれらに限定するものではなく、スキャナーユニット２００に替わり、画像電送装置（例えばファクシミリユニット２２０）などを装着するものであっても良い。
ファクシミリユニット２２０は、例えば、ＵＳＢデバイスの場合、識別部８０は、ファクシミリユニット２２０の接続の有無、およびファクシミリユニット２２０が有するベンダーＩＤ、プロダクトＩＤ、シリアル番号の３つのキー情報から、接続されたファクシミリユニット２２０の種類や型番、付番などを識別することができる。
【００５５】
プリンター１０１は、上述したコントロールセンターにファクシミリユニット２２０の機能を活用する制御ソフトウェアを含んでいる。この点を除き、プリンター１０１は、プリンター１００と同じである。
図１４は、コントロールセンターが起動した初期画面の概念図である。
アイコン領域には、実施形態１のコピーアイコン「Ｃ」に替わりファクシミリアイコン「Ｘ」が表示されている。ファクシミリアイコン「Ｘ」が選択された場合の画面（以下ファクシミリ画面と言う）は、この画面と同じである。
【００５６】
＜ファクシミリ画面＞
ファクシミリ画面のメイン領域には、ファクシミリ機能を利用する場合に設定が必要なパラメーターのみが表示される。
ファクシミリ画面では、ファクシミリ送信先（宛先）、原稿の種類の選択（原稿タイプ）、裏写り防止や地色除去などの画質調整の選択（画質調整）、カラーかモノクロかの選択（カラー／モノクロ）、原稿読み取り時の解像度の選択（解像度）、倍率の設定（倍率設定）、原稿サイズの設定（原稿幅設定）、濃度の設定（濃度）、コントラストの設定（コントラスト）、ファクシミリ電送かコピーかの選択（ファクシミリ／コピー）などができる。電送せずにコピーを行う場合には、ロール紙の選択（ロール選択）やコピー部数の指定などができる。また、設定内容のリセットや、セットした原稿の排出、送信の開始などを実行するボタンがある。
【００５７】
それぞれの機能拡張装置は、それぞれの装置に固有の機能を有しているため、それぞれの機能を活用するための操作が異なる。本変形例によれば、操作パネル６０、あるいはタブレット端末９０には、使用に際して使用可能に拡張されている機能に対して必要充分な表示がされるため、無駄な表示に対応する必要が無く、より容易な操作で使用することができる。
【符号の説明】
【００５８】
１…ロール紙、２…原稿、４…可搬型スタンド、９…ネットワーク、１０…印刷部、２０…ロール紙除給部、３０…ロール紙格納部、３１…第１格納部、３２…第２格納部、４０…記憶部、５０…制御部、６０…操作パネル、７０…入出力インターフェイス、８０…識別部、９０…タブレット端末、１００，１０１…プリンター、２００…スキャナーユニット、２１０…ハードディスクドライブ（ＨＤＤ）ユニット、２２０…ファクシミリユニット。
【図１】
2016005894.tif 000003
【図２】
2016005894.tif 000004
【図３】
2016005894.tif 000005
【図４】
2016005894.tif 000006
【図５】
2016005894.tif 000007
【図６】
2016005894.tif 000008
【図７】
2016005894.tif 000009
【図８】
2016005894.tif 000010
【図９】
2016005894.tif 000011
【図１０】
2016005894.tif 000012
【図１１】
2016005894.tif 000013
【図１２】
2016005894.tif 000014
【図１３】
2016005894.tif 000015
【図１４】
2016005894.tif 000016